(57)【要約】      （修正有）【課題】高い固定強度を有し、且つ携帯装置の省スペース化を実現できる押しボタンの固定構造を提供する。【解決手段】本携帯装置の押しボタンの固定構造は、内部に少なくとも１つの押しボタンスイッチ３０が設置されるフレーム１０と、該フレームの一側に固定される位置決め部材６０と、該位置決め部材の一側に貼付される押しボタン層８０とを備える。前記位置決め部材には、前記押しボタンスイッチの位置と対応する少なくとも１つの装着孔６１５が開設されており、前記押しボタン層には、前記押しボタンスイッチを作動させるための押圧部８１１が少なくとも１つ凸設されており、前記押圧部は、前記装着孔を通り抜けて前記位置決め部材に固定され、前記押圧部の内壁は、前記位置決め部材の他側に貼付されて前記位置決め部材を前記押しボタン層と前記押圧部との間に挟み込む。【選択図】図１
0003158483.tif 000002
【実用新案登録請求の範囲】
【請求項１】
内部に少なくとも１つの押しボタンスイッチが設置されるフレームと、
前記フレームの一側に固定される位置決め部材と、
前記位置決め部材の一側に貼付される押しボタン層と、を備えてなる携帯装置の押しボタンの固定構造において、
前記位置決め部材には、前記押しボタンスイッチの位置と対応する少なくとも１つの装着孔が開設されており、前記押しボタン層には、前記押しボタンスイッチを作動させるための押圧部が少なくとも１つ凸設されており、前記押圧部は、前記装着孔を通り抜けて前記位置決め部材に固定され、前記押圧部の内壁は、前記位置決め部材の他側に貼付されて前記位置決め部材を前記押しボタン層と前記押圧部との間に挟み込むことを特徴とする携帯装置の押しボタンの固定構造。
【請求項２】
前記押圧部は、熱融着法により前記位置決め部材の装着孔を通り抜けて前記位置決め部材の他側に成型されることを特徴とする請求項１に記載の携帯装置の押しボタンの固定構造。
【請求項３】
前記フレームは、側壁を有し、前記側壁には、前記少なくとも１つの押しボタンスイッチと対応して、前記押しボタン層の押圧部を挿通するための少なくとも１つの溝が開設されていることを特徴とする請求項１に記載の携帯装置の押しボタンの固定構造。
【請求項４】
前記位置決め部材の両端は別々に延伸して固定孔を有する固定片を形成し、前記フレームは、側壁を有し、前記側壁の外側には、前記２つの固定片と対応する２つの支持リブが凸設され、前記支持リブには、前記固定孔を通り抜けて前記位置決め部材の固定片に固定される係止部が形成されることを特徴とする請求項１に記載の携帯装置の押しボタンの固定構造。
【請求項５】
前記係止部は、熱融着法により前記固定片の固定孔を通り抜けて前記位置決め部材に固定されることを特徴とする請求項４に記載の携帯装置の押しボタンの固定構造。
【請求項６】
前記押しボタン層の押圧部及び前記フレーム内の前記押圧部と対応する押しボタンスイッチは、それぞれ２つであって、前記フレーム内において前記２つの押しボタンスイッチの間には、当接柱が凸設されており、前記押しボタン層において前記２つの押圧部の間には、前記当接柱に当接される凸柱が凸設されていることを特徴とする請求項１に記載の携帯装置の押しボタンの固定構造。
【請求項７】
前記の位置決め部材の上縁部から前記押しボタンスイッチの上表面に当接される静電気接地折り曲げ片が延伸して形成されることを特徴とする請求項１に記載の携帯装置の押しボタンの固定構造。
【考案の詳細な説明】
【技術分野】
【０００１】
本考案は押しボタンの固定構造に係り、特に携帯装置に用いられる押しボタンの固定構造に関するものである。
【背景技術】
【０００２】
科学技術の発展に伴い、携帯電話などの通信装置が、人々の日常生活や生産活動において不可欠電子通信製品になった。携帯通信装置の体積の薄型化に対する要求がどんどん強くなっているから、携帯通信装置の表面に押しボタンを設置するためのスペースも小さくなっている。それで、空間を合理的に利用し、且つ携帯装置の機能に悪い影響をもたらさないために、一般的に一部分の機能ボタンを通信装置の側面に設置する。
【０００３】
従来の技術において、押しボタンを側面に設置する構造は、一般的に以下の２種類に分けられている。第一は、接着剤でプラスチック部材とゴム部材を接着することにより押しボタンを形成する。第二は、二色射出成型の方式で押しボタンを形成する。しかし、接着剤で接着することにより形成された押しボタンは、プラスチック部材とゴム部材との間の結合力が弱いので、使用する過程において、引っ張る力で脱落しやすい。二色射出成型の方式で形成された押しボタンは、通常厚すぎるので携帯装置の空間を浪費し、且つ携帯装置のフレームとの密封性が良くないので静電気が生じ易い。
【考案の概要】
【考案が解決しようとする課題】
【０００４】
本考案の目的は、高い固定強度を有し、且つ携帯装置の省スペース化を実現できる押しボタンの固定構造を提供することである。
【課題を解決するための手段】
【０００５】
本考案に係る携帯装置の押しボタンの固定構造は、内部に少なくとも１つの押しボタンスイッチが設置されるフレームと、前記フレームの一側に固定される位置決め部材と、前記位置決め部材の一側に貼付される押しボタン層と、を備える。前記位置決め部材には、前記押しボタンスイッチの位置と対応する少なくとも１つの装着孔が開設されており、前記押しボタン層には、前記押しボタンスイッチを作動させるための押圧部が少なくとも１つ凸設されており、前記押圧部は、前記装着孔を通り抜けて前記位置決め部材に固定され、前記押圧部の内壁は、前記位置決め部材の他側に貼付されて前記位置決め部材を前記押しボタン層と前記押圧部との間に挟み込む。
【考案の効果】
【０００６】
従来の技術と比較して、本考案に係る携帯装置の押しボタンの固定構造において、前記押圧部の内壁は、前記位置決め部材の一側に貼付されて、前記位置決め部材を前記押しボタン層と前記押圧部との間に挟み込むことにより、前記押しボタン層と前記位置決め部材との間の固定強度を高めることができる。又、前記押しボタン層と前記位置決め部材とは完全に接着されたので、キーパッドモジュールに生じた静電気が携帯装置のフレーム内に入ることを防止することができる。
【図面の簡単な説明】
【０００７】
【図１】本考案の実施形態に係る携帯装置の押しボタンの固定構造の立体分解図である。
【図２】図１を別の方向からみた立体分解図である。
【図３】図１の部分組立図である。
【図４】図１の立体組立図である。
【図５】図２の立体組立図である。
【図６】図４のVI―VI線に沿った断面図である。
【考案を実施するための形態】
【０００８】
以下、図面に基づいて、本考案の実施形態に係る押しボタンの固定構造に関して詳細に説明する。
【０００９】
図１及び図２を参照すると、本考案の実施形態に係る携帯装置の押しボタン固定構造は、携帯装置のフレーム１０及び前記携帯装置のフレーム１０の一側に装着されるキーパッドモジュール５０を備える。
【００１０】
前記携帯装置のフレーム１０は、側壁１１と、前記フレーム１０の底部に装着され且つ前記側壁１１と直交する電気回路板２０と、を備える。前記電気回路板２０の前記側壁１１と隣接する一側には、複数の押しボタンスイッチ３０が間隔的に設置される。前記各押しボタンスイッチ３０の一側には、それぞれ１つのスイッチ作動部３１が凸設される。前記側壁１１の前記複数のスイッチ作動部３１と対応する位置には、複数の溝１２が間隔的に開設される。前記フレーム１０の底部において、前記複数のスイッチ作動部３１の中の２つのスイッチ作動部３１の間に当接柱１３が設置される。前記側壁１１の前記当接柱１３と対応する位置には、溝１５が開設される。前記側壁１１の外部には、縦に設置された複数の細長い支持リブ１６が間隔的に凸設される。前記各支持リブ１６の中部には、それぞれ１つの係止部１６１が凸設される。
【００１１】
前記キーパッドモジュール５０は、金属材料で作られた位置決め部材６０及び前記位置決め部材６０の外表面に被覆される複数のプラスチック製の押しボタン層８０を備える。本実施形態において、前記位置決め部材６０は、２つの押しボタンの機能を割り当てる長い位置決め片６１及び該位置決め片６１の両側に接続され且つ１つの押しボタンの機能を割り当てる短い位置決め片６３を備える。前記長い位置決め片６１と該長い位置決め片６１に隣接する２つの短い位置決め片６３との間は、別々に狭い接続片６５を介して接続される。前記接続片６５の中心には前記フレーム１０の係止部１６１と対応する係止孔１６５が開設されているので、前記接続片６５は、前記各位置決め片の独立した運動に十分な弾性を提供する。前記２つの位置決め片６３の端部が別々に延伸してそれぞれ１つの固定片６６を形成し、各固定片６６の中心に固定孔６６１が開設される。前記位置決め片６１、６３は矩形であって、その外側面には、前記位置決め片６１、６３の輪郭より小さい矩形装着部６１３、６３３が外部に向かって凸設される。前記装着部６１３には、複数の装着孔６１５が間隔的に設置され、前記装着部６３３には、複数の装着孔６３５が間隔的に設置される。前記長い位置決め片６１の上縁部における前記フレーム１０内の奥側の２つの押しボタンスイッチ３０と対応する位置から２つのＺ型の導電性折り曲げ片６１６が延伸する。前記２つの短い位置決め片６３の上縁部における前記フレーム１０内の外側の２つの押しボタンスイッチ３０と対応する位置から２つのＺ型の静電気接地折り曲げ片６３６が延伸する。
【００１２】
前記各位置決め片６１、６３の装着部６１３、６３３の外表面には、前記押しボタン層８０が被覆して形成される。前記押しボタン層８０は、第一押しボタン層８１及び２つの第二押しボタン層８３を備える。前記第一押しボタン層８１は、前記位置決め片６１の装着部６１３と同じ形状及び寸法を有し、２つの押しボタンの機能を割り当てる。前記２つの第二押しボタン層８３は、別々に前記２つの位置決め片６３の装着部６３３と同じ形状及び寸法を有し、１つの押しボタンの機能を割り当てる。前記第一押しボタン層８１の前記装着部６１３に向かう表面には、前記フレーム１０内の奥側の２つの押しボタンスイッチ３０のスイッチ作動部３１と対応する２つの十字型の押圧部８１１が凸設される。前記第一押しボタン層８１の２つの押圧部８１１の間には、前記フレーム１０内の当接柱１３と対応する凸柱８１３が設置される。前記２つの第二押しボタン層８３の前記装着部６３３に向かう表面の中部には、前記フレーム１０内の外側の２つの押しボタンスイッチ３０のスイッチ作動部３１と対応して、それぞれ１つの十字型の押圧部８３１が凸設される。前記押圧部８３１の両側には、それぞれ１つの固定柱８３３が凸設される。
【００１３】
図３ないし図６を一緒に参照すると、組み付ける時、先ず前記キーパッドモジュール５０を組み立てる。
【００１４】
先ず、前記押しボタン層８１、８３をそれぞれ対応する装着部６１３、６３３に貼付する。次に、プラスチックを熱融着する方法を利用して、前記押しボタン層８１、８３の押圧部８１１、８３１、前記凸柱８１３及び前記固定柱８３３を、それぞれ対応する前記位置決め部材６０の装着孔６１５、６３５を通過させて一体に成型することにより、前記位置決め部材６０の装着部６１３、６３３の内壁にしっかり接着させて、前記位置決め部材６０を前記押しボタン層８０と前記押圧部８１１、８３１の間に挟み込む。それで、前記押しボタン層８０は、前記位置決め部材６０と一緒に前記キーパッドモジュール５０を構成する。
【００１５】
次に、前記キーパッドモジュール５０を前記携帯装置のフレーム１０に固定する。
【００１６】
先ず、前記キーパッドモジュール５０の位置決め部材６０の縁部を前記フレーム１０の側壁１１の支持リブ１６に当接させて、前記位置決め部材６０の係止孔６５１、固定孔６６１をそれぞれ対応する前記支持リブ１６の係止部１６１に定位させる。次に、プラスチックを熱融着する方法を利用して、前記係止部１６１をそれぞれ対応する前記位置決め部材６０の係止孔６５１及び固定孔６６１を通過させて一体に成型して、前記フレーム１０の支持リブ１６を前記位置決め部材６０の外壁にしっかり接着させることにより、前記キーパッドモジュール５０を前記携帯装置のフレーム１０にしっかり固定する。この時、前記押しボタン層８０の押圧部８１１、８３１は、前記フレーム１０の側壁１１の溝１２を通過して、それぞれ対応する押しボタンスイッチ３０のスイッチ作動部３１と接触する。
【００１７】
使用する時、前記キーパッドモジュール５０の、前記押しボタン層８０の押圧部８１１、８３１のいずれか１つと対応する位置を押圧すると、前記位置決め部材６０の押圧された箇所が前記フレーム１０に向かって変形して、前記対応位置の押圧部８１１、８３１が対応する押しボタンスイッチ３０のスイッチ作動部３１を押圧することにより、対応する押しボタンの機能を実現する。前記２つの押しボタンの機能を割り当てる第一押しボタン層８１の一端を押圧すると、前記第一押しボタン層８１中部の凸柱８１３が前記フレーム１０の側壁１１の溝１５を通り抜けて、前記フレーム１０内の当接柱１３に当接されるので、前記第一押しボタン層８１の２つの押しボタンの機能の中の１つを実現する時に、もう１つの押しボタンの機能を割り当てる前記第一押しボタン層８１の他端が連動されて誤操作することを防止することができる。前記位置決め部材６０上方の静電接地用折り曲げ片６３６は、前記押しボタンスイッチ３０の上表面に当接されることにより、前記フレーム１０に生じた静電気を接地することができる。
【００１８】
本考案に係る押しボタンの固定構造において、前記押しボタン層８０は熱融着法により前記位置決め部材６０にしっかり係止されることにより、軽量且つ高い固定強度を有するキーパッドモジュールを実現できる。又、前記位置決め部材６０と前記押しボタンスイッチ３０との間に静電接地用折り曲げ片６３６を配置することにより、前記フレーム１０に生じた静電気が携帯装置に悪い影響を与えることを防止する。
【００１９】
以上、本考案の好適な実施形態について詳細に説明したが、本考案は前記実施形態に限定されるものではなく、本考案の範囲内で種々の変形又は修正が可能であり、該変形又は修正も又、本考案の特許請求の範囲内に含まれるものであることは、いうまでもない。
【符号の説明】
【００２０】
１０    フレーム
１１    側壁
１２    溝
１３    当接柱
１５    溝  
１６    支持リブ
１６１  係止部
２０    電気回路板
３０    押しボタンスイッチ
３１    スイッチ作動部
５０    キーパッドモジュール
６０    位置決め部材
６１    長い位置決め片
６１３  装着部
６１５  装着孔
６１６  導電性折り曲げ片
６３    短い位置決め片
６３３  装着部
６３５  装着孔
６３６  静電接地用折り曲げ片
６５    接続片
６５１  係止孔
６６    固定片
６６１  固定孔
８０    押しボタン層
８１    第一押しボタン層
８１１  押圧部
８１３  凸柱
８３    第二押しボタン層
８３１  押圧部
８３３  固定柱
【図１】
0003158483.tif 000003
【図２】
0003158483.tif 000004
【図３】
0003158483.tif 000005
【図４】
0003158483.tif 000006
【図５】
0003158483.tif 000007
【図６】
0003158483.tif 000008